(57)【要約】【課題】  意匠面が部分的に異なる成形製品を容易に成形することができる成形用金型、成形製品の成形方法、および成形用金型により成形された車両外板を提供する。【解決手段】  成形用金型は、成形製品である自動車の樹脂製バンパの、意匠面ＰＤとなる表側を成形する型１が、成形される樹脂製バンパの長手方向（車幅方向）に関して分割された複数の型１０、１１…により構成され、この長手方向に分割された型１を拘束して保持する保持手段３を備えている。【選択図】    図１
2005041112.tif 000002
【特許請求の範囲】
【請求項１】
成形製品の意匠面を成形する型が、成形製品の長手方向で分割されてなることを特徴とする成形用金型。
【請求項２】
成形時に受ける応力が低い箇所で分割したことを特徴とする請求項１に記載の成形用金型。
【請求項３】
分割された型を拘束して保持する保持手段を有することを特徴とする請求項１または２に記載の成形用金型。
【請求項４】
分割された型間に隙間が生じないようにする開き防止機構を有することを特徴とする請求項１〜３のいずれかに記載の成形用金型
【請求項５】
分割された型間の隙間を調整する調整機構を有することを特徴とする請求項１〜３のいずれかに記載の成形用金型。
【請求項６】
意匠面を成形する型が長手方向で分割されてなる成形用金型を用いて成形製品を成形する方法であって、
内部の圧力に応じて、前記分割された型間の隙間を調整することを特徴とする成形製品の成形方法。
【請求項７】
成形用金型を用いて成形された車両外板であって、
長手方向で分割されてなる型によって意匠面が形成されていることを特徴とする車両外板。
【請求項８】
意匠面に成形用金型の分割線が転写されていることを特徴とする請求項７に記載の車両外板。
【請求項９】
分割された型の間隔を調整することにより、所望の幅の分割線が転写されてなることを特徴とする請求項８に記載の車両外板。
【発明の詳細な説明】
【技術分野】
【０００１】
本発明は、成形用金型、成形製品の成形方法、および成形用金型により成形された車両外板に関するものである。
【背景技術】
【０００２】
例えば、車両における樹脂製のリヤバンパを形成する場合においては、同一車種であっても、その仕様などにより排気管の配設位置が異なる場合があり、これに伴って排気管のテールパイプ部分を挿通させるためにリヤバンパに形成する切り欠きの配置も異なることとなる。従来では、この切り欠きの配置に応じてそれぞれ成形用金型を起こさなければならないという問題があった。
このような問題を解決するための従来の技術としては、スカート一体形リヤバンパ成形方法として開示された特許文献１が知られている。
【０００３】
【特許文献１】特許第２７４８４９９号公報
【０００４】
特許文献１は、スカート一体形のプラスチック製リヤバンパの成形方法であって、同リヤバンパの車幅方向の中心に関して左右対称位置に成形変更部を設定し、同各成形変更部毎に、同成形変更部に排気管挿通用の切欠きを形成すべきか、あるいは同成形変更部に同排気管挿通用の切欠きを形成すべきでないかを決定し、上記リヤバンパの成形型として、同リヤバンパの外面側の形状を成形するように配置されるキャビ型と、同リヤバンパの内面側の形状を成形するように配置されるコア型とを用い、さらに上記成形変更部に上記排気管挿通用切欠きを形成する場合には切欠き部成形用入子を選択的に採用して上記キャビ型及び上記コア型の少なくとも一方に配設し、また上記成形変更部に上記排気管挿通用切欠きを形成しない場合には同切欠が成形されない閉塞用入子を選択的に採用して上記キャビ型及び上記コア型の少なくとも一方に配設してスカート一体形のリヤバンパを成形することを特徴とするものである。
すなわち、特許文献１では、リヤバンパに設定される成形変更部は、排気管挿通用の切欠きを形成するか否かに応じて決定されるものであり、したがって、かかる成形変更部はリヤバンパの高さ方向（幅方向）に関して下方に部分的に設定される。
【０００５】
ところで、特許文献１には、成形変更部に設けられる切欠き部成形用入子や閉塞用入子（以下、両方をまとめて単に入子と称する）をコア型やキャビ型に如何にして取付けるかは開示されていない。入子をコア型やキャビ型に単に取付け配設しただけで成形を行うと、キャビティ内に射出・充填される樹脂圧や熱膨張などによって入子とコア型またはキャビ型との間に隙間が生じ、かかる隙間の中に樹脂などの成形材料が入り込んで接合線が不用意に転写され突条が形成されることとなる。リヤバンパ（成形製品）の裏側を成形するコア型に入子を配設する場合にはその転写される接合線が人目につかないために見栄えに関して問題とはならないが、リヤバンパの意匠面となる外面側の形状を成形するキャビ型に入子を配設する場合には意匠面にその接合線が不用意に転写されて見栄えが悪くなるという問題が発生する。
【発明の開示】
【発明が解決しようとする課題】
【０００６】
解決しようとする問題点は、上記特許文献１にあっては、意匠面を成形するキャビ型に入子を配設する場合に、接合線が目立たないようにキャビ型と配設入子との接合部分をデザイン溝の中に配置する必要があり、設計の自由度が制限されることにある。
本発明は、このような問題点の解決を図るもので、意匠面が部分的に異なる成形製品を容易に成形することができる成形用金型、成形製品の成形方法、および成形用金型により成形された車両外板を提供することを解決しようとする課題とするものである。
【課題を解決するための手段】
【０００７】
請求項１の成形用金型に係る発明は、成形製品の意匠面を成形する型が、成形製品の長手方向で分割されてなることを特徴とするものである。
請求項２の成形用金型に係る発明は、請求項１に記載の発明において、成形時に受ける応力が比較的低い箇所で分割したことを特徴とするものである。
請求項３の成形用金型に係る発明は、請求項１または２に記載の発明において、分割された型を拘束して保持する保持手段を有することを特徴とするものである。
請求項４の成形用金型に係る発明は、請求項１〜３のいずれかに記載の発明において、分割された型間に隙間が生じないようにする開き防止機構を有することを特徴とするものである。
請求項５の成形用金型に係る発明は、請求項１〜３のいずれかに記載の発明において、分割された型間の隙間を調整する調整機構を有することを特徴とするものである。
また、請求項６の成形製品の成形方法に係る発明は、意匠面を成形する型が長手方向で分割されてなる成形用金型を用いて成形製品を成形する方法であって、内部の圧力に応じて、前記分割された型間の隙間を調整することを特徴とするものである。
さらに、請求項７の車両外板に係る発明は、成形用金型を用いて成形された車両外板であって、長手方向で分割されてなる型によって意匠面が形成されていることを特徴とするものである。
請求項８の車両外板に係る発明は、請求項７に記載の発明において、意匠面に成形用金型の分割線が転写されていることを特徴とするものである。
請求項９の車両外板に係る発明は、請求項８に記載の発明において、分割された型の間隔を調整することにより、所望の幅の分割線が転写されてなることを特徴とするものである。
【発明の効果】
【０００８】
請求項１の発明によれば、成形製品の意匠面を成形する型が、成形製品の長手方向で分割されていることにより、成形製品の長手方向の部分によって形状変更された部分を成形する型のみが入れ替えられることによって異なる形状の成形製品を容易に成形することができる。
請求項２の発明によれば、請求項１に記載の発明において、成形製品の意匠面を成形する型を、ＣＡＥなどのシミュレーション解析結果に基づいて成形時に受ける応力が比較的低い箇所で分割することにより、各型が変形することなく精度よく成形製品の意匠面を成形することができる。
請求項３の発明によれば、請求項１または２に記載の発明において、形状の異なる成形製品を成形するときに、長手方向で分割された型を保持手段によって保持してユニット化した状態とし、成形機外の場所へ移動させ、所定の型に交換し、再び保持手段によって保持し保持した状態で成形機内へ移動させて取付ける。長手方向で分割された型を保持手段によって保持してユニット化した状態で移動させることができるため、型を容易に交換することができ、また成形時には各型を拘束することができるため、成形製品を精度よく成形することができる。
請求項４の発明によれば、請求項１〜３のいずれかに記載の発明において、開き防止機構によって分割された型間に隙間が生じないようにするため、分割された型の間に隙間が生じて接合線が不用意に転写されることを防止することができ、したがって、見栄えのよい成形製品を成形することができる。
請求項５の発明によれば、請求項１〜３のいずれかに記載の発明において、調整機構によって分割された型間の隙間を任意に調整することができるため、成形製品の意匠面に任意の接合線を転写させて意匠上の特徴部分（特徴線）であるキャラクタラインとするなど、見栄えよく成形することができ、あるいは、分割された型の間に隙間が生じて接合線が不用意に転写されることを防止することもできる。なお、調整機構は、成形材料の充填機構の駆動源によって駆動されるものとすることにより、キャビティ内の圧力と対応して型間の間隙を調整することができる。
また、請求項６の発明によれば、長手方向で分割された型間の隙間をキャビティ内部の圧力に応じて調整することにより、意匠面に接合線が転写されることなく、または、任意の幅の接合線が転写されたキャラクタラインを有する成形製品を容易に且つ確実に成形することができる。
さらに、請求項７の発明によれば、長手方向で分割されてなる型によって形成されていることにより、異なる意匠面が容易に成形される車両外板を提供することができる。
請求項８の発明によれば、請求項７に記載の発明において、意匠面に成形用金型の分割線を転写させることにより、たとえば意匠面の一部を構成するキャラクタラインが形成された車両外板を提供することができる。
請求項９の発明によれば、請求項８に記載の発明において、分割された型の間隔を調整することにより、所望の幅のキャラクタライン等が形成された車両外板を提供することができる。
【発明を実施するための最良の形態】
【０００９】
本発明を実施するための最良の形態を、成形製品として自動車の樹脂製バンパＰを射出成形する場合により、主に図１および図２に基づいて詳細に説明する。なお、この実施の形態において成形される自動車の樹脂製バンパＰはその長手方向の中央から両端部に向かって左右対称であり、したがって、この実施の形態における成形用金型および保持手段も左右対称であるため、図では成形用金型などを、樹脂製バンパＰの一方のコーナ部Ｐ１を成形するための部分から中央部分Ｐ０近傍を成形するための部分のみを示している。図において、同一符号は同様の部分または相当する部分に付すものとする。
本発明の成形用金型は、概略、成形製品である自動車のバンパＰの、意匠面ＰＤとなる表側を成形する型１が、成形される樹脂製バンパの長手方向（車幅方向）で複数に分割して構成された型１０、１１…により構成されてなるもので、この長手方向で分割された型１を拘束して保持する保持手段３を備えている。
そして、意匠面となる表側面ＰＤを成形する型１を分割する位置は、成形時に受ける応力が低い箇所に設定されている。
【００１０】
成形用金型は、公知の通り、射出成形機の固定盤とこの固定盤と相対向して配置された可動盤との対向面にそれぞれ取付けられる一対からなるもので（固定盤に取付けられる方の金型を固定金型１と、可動盤に取付けられる方の金型を可動金型２と称する）、固定金型１のゲートには計量された所定量の溶融樹脂を射出・充填する射出装置のノズルが当接され、また、可動金型２は型締装置よって固定金型に対して近接・遠退駆動される。なお、この実施の形態では、固定金型１が本発明において意匠面となる表側面ＰＤを成形する型１を構成している。
【００１１】
型締装置の駆動により固定金型１と可動金型２（図３および図４を参照）との衝合面にキャビティＣを形成し、このキャビティＣ内に射出装置によつて所定量の溶融樹脂を射出・充填すると、その射出・充填圧力によって固定金型１が受ける応力は、コーナ部Ｐ１を成形する部分が中央部Ｐ０など他の部分と比較して大きいことがＣＡＥのシミュレーションなどによる解析結果によって判明している。そのため、図１に示すように、本発明の成形用金型では、ＣＡＥなどのシミュレーション解析結果に基づいて、樹脂製バンパＰの表側の面ＰＤを成形する固定金型１が、コーナ部Ｐ１で分割することなく、その中央部Ｐ０を成形するために形成された部分（中央部成形入子１０）と、コーナ部Ｐ１を成形するために一体に形成された部分（コーナ部成形入子１１）との間で分割して構成されている。樹脂製バンパＰの形状変更部分は、いずれかの入子１０、１１に設定される。したがって、成形材料を所定の圧力でキャビティＣ内に射出・充填することによって各入子１０、１１が変形することはなく、しかも、形状変更部分が設定された入子１０または１１を交換するだけで、異なる形状の樹脂バンパＰを形成することができる。固定金型１の各入子１０、１１には、温調流体を流通させる通路を形成するための溝１２と、この溝１２に蓋をする板状でシール部材を有する蓋部材１３と、を有する温調手段が設けられている。
【００１２】
保持手段３は、固定金型１の各入子１０、１１が整列した状態で載置されるバックアップ部材３０と、固定金型１の各入子１０、１１が固定されたバックアップ部材３０を取付け保持すると共に一方の台盤（この実施の形態では固定盤）に取付け固定される取付け固定部材３１と、を備えており、この取付け固定部材３１は、成形圧力によって各入子１０、１１の間が開かないように、バックアップ部材３０に固定された固定金型１の各入子１０、１１の少なくとも長手方向への移動を規制し拘束する拘束部３２が形成されてなるものである。
バックアップ部材３０は、略板状に成形されてなるもので、射出成形機外で固定金型１の各入子１０、１１が取付けられ、クレーンによって吊り下げるなどして移動可能とされており、取付け固定部材３１に対して着脱される。
【００１３】
取付け固定部材３０の拘束部３２は、バックアップ部材３０に取付けられた固定金型１の各入子１０、１１を位置決め保持すべく取り囲むように形成されており、その拘束部３２のコーナ部成形入子１１の端面と対応する面には熱膨張などによる変形を防止するためのアタリ面３２ａが形成されている。これにより、成形製品である樹脂製バンパの長手方向で分割された各入子１０、１１は、成形材料の射出・充填圧力に抗して離間し互いの間に間隙が形成されることがないように、拘束される。そして、各入子１０、１１をバックアップ部材３０と一体にユニット化した状態で取付け固定部材３１から取外して射出成形機外へ搬出し、射出成形機外の広いスペースで所定の入子１０または１１をバックアップ部材３０に対して交換し、再び一体にユニット化した状態として取付け固定部材３１に取付けることが可能となる。
【００１４】
次に、本発明の成形用金型の第２の実施の形態を図３に基づいて説明する。上述した実施の形態と同様または相当する部分については同じ符号を付してその説明を省略し、異なる部分のみを説明することとする。
この実施の形態における成形用金型は、固定金型１を長手方向で分割してなる各入子１０、１１の間に隙間が生じないように押圧する開き防止機構５を備えている。開き防止機構５は、コーナ部成形入子１１の先端部（図３では下端部）と可動金型２とに互いに対向するように形成された傾斜面５０ａ、５０ｂと、コーナ部成形入子１１の側面と可動金型のホルダとに互いに対向するように設けられたコッタ５１ａ、５１ｂと、により構成されている。これら傾斜面５０やコッタ５１は、成形材料の射出・充填圧力やその温度、成形製品の大きさ、成形金型の温度による変形などに基づいて設定することができる。なお、開き防止機構５は、傾斜面５０とコッタ５１に限定されることはなく、他の構造の機構を採用することもでき、また、成形用金型の剛性やキャビティＣ内への成形材料の射出・充填圧力などに応じて、傾斜面５０やコッタ５１などのうちの一つのみを採用することもできる。
型締装置の駆動により固定金型１に対して可動金型２を近接させて型閉めすると、傾斜面５０ａと５０ｂ、コッタ５１ａとが５１ｂがそれぞれ衝合されて、キャビティＣ内に射出・充填される成形材料の圧力によって中央部成形入子１０に対してコーナ部成形入子１１が離れるように移動したり傾いて両者１０、１１の接合部に段差が生じることなどを防止する。
【００１５】
次に、本発明の成形用金型の第３の実施の形態を図４に基づいて説明する。上述した第１および第２の実施の形態と同様または相当する部分については同じ符号を付してその説明を省略し、異なる部分のみを説明することとする。
この実施の形態における成形用金型は、固定金型１を分割してなる各入子１０、１１の間に所定の隙間を形成するように押圧する隙間調整機構６を備えている。
隙間調整機構６は、コーナ部成形入子１１の側面と取付け固定部材３１の拘束部３２の対向する面との間に介装された拡縮手段６０と、コーナ部成形入子１１に設けられた長さ調整可能な締結手段６１とにより構成されている。
拡縮手段６０は、たとえば、可撓性、耐圧性などを備えた金属性の風船状のものの内部に、油などの作動流体を所定の圧力で供給・排出することができるよう構成したものとすることができる。そして、拡縮手段６０には、その内部に作動流体を供給するために、成形材料の射出装置の駆動源を接続することができる。このように構成することにより、拡縮手段６０は、射出装置による成形材料の射出・充填と連動してその内部に作動流体が供給され、したがって、キャビティＣ内に射出・充填される成形材料の圧力と対応して膨張してコーナ部成形入子１１を中央部成形入子１０に向かって押圧し、その離間量を調整することができる。
長さ調整可能な締結手段６１としては、たとえばボルトを採用することができる。ボルト６１は、図４に示した実施の形態の場合、取付け固定部材３１の底面（図４では上面）の中央部成形入子１０に隣接する位置に形成された段付孔３５からバックアップ部材３０の孔３６に挿通されて、コーナ部成形入子１１の中央部成形入子１０と隣接する位置に形成されためねじ孔３７に螺合されている。ボルト６１を軸周りに回動させることにより、コーナ部成形入子１１の取付け固定部材３１に対する可動量を所望の量に調整することができる。なお、締結手段６１は、中央部成形入子１０とコーナ部成形入子１１にそれぞれブラケットを設け、両ブラケットの間隔をボルトにより調整可能に締結する構成とすることもできる。
型締装置の駆動により固定金型１に対して可動金型２を近接させて型閉めし、キャビティＣ内に成形材料を所定の圧力で射出・充填すると、コーナ部成形入子１１は成形材料の射出・充填圧力により中央部成形入子１０から離れるように、あるいは中央部成形入子１０に対して傾くように移動させようとする力が加わることとなる。その結果、両入子１０、１１の間に隙間が生じて成形材料が流入し、成形製品の意匠面に分割線が意図的に転写されることとなる。
しかしながら、コーナ部成形入子１１は、隙間調整機構６の拡縮手段６０および締結手段６１によって中央部成形入子１０との間の隙間を規制するよう調整されている。しかも、拡縮手段６０は、キャビティＣ内に成形材料を射出・充填する射出装置と連動されていることにより、キャビティＣ内に射出・充填される成形材料の圧力に応じて膨張するため、コーナ部成形入子１１の先端部（図４では下端部）が開くように倒れることなく、また、中央部成形入子１０との間の間隔が適切に調整される。そのため、成形製品の意匠面に所望の突条を形成することができる。この突条は、成形製品として樹脂製バンパなどのような車両外板である場合には、キャラクタラインＬ（図６を参照）を構成することができる。
なお、この実施の形態における隙間調整機構６の拡縮手段６０と締結手段６１は、コーナ部成形入子１１の中央部成形入子１０に対する間隔をゼロに調整することもでき、従って、上述した第２の実施の形態における開き防止機構５としても機能させることができる。
【００１６】
次に、本発明の成形製品の成形方法を、上述の第３の実施の形態で説明したように構成された成形用金型を用いる場合によって、図５に基づいて詳細に説明する。
本発明の成形製品の成形方法は、概略、意匠面ＰＤを成形する型１が長手方向で分割されてなる入子１０、１１を用いて成形製品を成形する方法であって、キャビティＣの内部に作用する圧力に応じて、前記分割された入子１０、１１間の隙間を調整するものである。
【００１７】
成形製品を成形するに際しては、最初に型締装置の駆動により可動金型２を固定金型１に近接させて型閉めを行い互いの衝合面にキャビティＣを形成する（Ｓ１）。そして型閉めが完了した信号が発せられると（Ｓ２）、拡縮手段６０内へ作動流体を供給しつつ（Ｓ３）、キャビティＣ内へ成形材料を射出・充填する（Ｓ４）。このとき、射出装置による成形材料の射出・充填と連動して作動流体が拡縮手段６０内にも供給されるため、キャビティＣ内に射出・充填される成形材料の圧力と対応して拡縮手段６０が膨張してコーナ部成形入子１１を中央部成形入子１０に向かって押圧し、その離間量をゼロから所定の量までの範囲で調整することができる。
キャビティＣ内に所定量の成形材料を射出・充填するのが完了してその完了信号が発せられると（Ｓ５）、拡縮手段６０に供給された作動流体を減圧し（Ｓ６）、型開きして（Ｓ７）成形製品Ｐを取出し、１成形サイクルが完了する。異なる形状の樹脂バンパを成形する場合には、型開きした状態で、保持手段３の取付け固定部材３１から各入子１０、１１が取付けられているバックアップ部材３０を取外してクレーンによって吊り下げるなどして成形機外に搬出し、広いスペースでバックアップ部材３０に対して所定の入子１０または１１を取外してから別の入子１０または１１を取付け、再び成形機内に搬入してバックアップ部材３０を保持手段３の取付け固定部材３１に取付けることにより、容易に所定の入子１０または１１を交換することができる。
【００１８】
次に、本発明の車両外板を、上述した実施の形態１〜３のように構成された成形用金型を用い、上述した成形方法に従って成形された自動車の樹脂製バンパＰである場合により説明する。
本発明の車両外板は、概略、成形用金型を用いて成形された車両外板であって、その意匠面が長手方向で分割されてなる型１０、１１によって形成されたものである。
そして、本発明の車両外板は、意匠面に成形用金型の分割線が転写されることによってキャラクタラインＬが形成されており、しかも、そのキャラクタラインＬは、分割された型１０、１１の間隔を調整することにより、所望の幅に形成されたものである。
上述したよう実施の形態１〜３のように構成された成形金型では、樹脂性バンパの意匠面となる外側面は固定金型１によって成形されるが、固定金型１は、樹脂製バンパＰの長手方向で、少なくともコーナ部成形入子１１と中央部成形入子１０に分割された構成とされている。そして、少なくともコーナ部成形入子１１と中央部成形入子１０のいずれか一方は、異なる形状の意匠面を成形することができるよう複数用意されている。このような成形金型では、所定の入子１０または１１を交換するだけで、異なる形状の樹脂製バンパＰが成形される。
ここで、取付け固定部材３１の拘束部３２や、開き防止機構５の傾斜面５０およびコッタ５１、あるいは、隙間調整機構６０の拡縮手段６０および締結手段６１などによって、コーナ部成形入子１１が中央部成形入子１０から離間しないように拘束または押圧されている場合には、実際に成形材料である溶融樹脂をキャビティ内に射出・充填すると、両入子１０、１１の間に僅かに成形材料が進入して接合線が転写されることになるが、図７に示すように、かかる転写された接合線Ｓの突出する高さは例えば２〜３μｍ程度のわずかなものであり、見た目にはほとんど目立つものではなく、特に表面を塗装して塗料層Ｔを形成する場合には接合線Ｓが塗料層Ｔに埋没するため、見栄えが良好な樹脂製バンパＰとなる。
一方、隙間調整機構６の拡縮手段６０や締結手段６１によってコーナ部成形入子１１が所定量の移動を許容されるように設定されている場合には、キャビティーＣ内に射出・充填される成形材料の圧力によってコーナ部成形入子１１が中央部成形入子１０から離間して両入子１０、１１の間にわずかな隙間が形成され、かかる隙間に成形材料が流入して、図６に示したように分割線がコーナ部Ｐ１と中央部Ｐ０との間に意図的に所定の高さおよび幅で転写され、図８に鎖線で示すように、表面に塗料を塗布する場合であっても所定の幅や高さとなって現れるキャラクタラインＬが形成されることとなる。そして、隙間調整機構６の拡縮手段６０や締結手段６１によるコーナ部成形入子１１の許容される移動量を調整することによって両入子１０、１１の間に形成される隙間が調整されて、所望の幅や高さを有するキャラクタラインＬとなる接合線が形成された樹脂製バンパＰが得られることとなる。
【産業上の利用可能性】
【００１９】
以上説明した実施の形態では、本発明の応用例を射出成形により成形製品として樹脂バンパを成形した場合によって説明したが、この実施の形態に限定されることなく、例えばダイカストマシンにおける成形金型など、他の目的に使用される成形金型に適用させることができ、また、成形製品として樹脂製バンパだけではなく、他の自動車の外板となる成形製品に適応させることもできる。
【図面の簡単な説明】
【００２０】
【図１】本発明の成形用型の第１の実施の形態における固定金型を部分的に示した断面図である。
【図２】本発明の成形用型の第１の実施の形態における保持手段を部分的に示した斜視図である。
【図３】本発明の成形用型の第２の実施の形態を部分的に示した断面図である。
【図４】本発明の成形用型の第３の実施の形態を部分的に示した断面図である。
【図５】本発明の成形製品の成形方法の実施の形態を説明するためのフローチャートである。
【図６】本発明の車両外板の実施の形態として成形される樹脂製バンパの一部示す斜視図である。
【図７】本発明の樹脂製バンパの意匠面に成形用金型の分割線が僅かに転写された状態を拡大して示した断面図である。
【図８】本発明の樹脂製バンパの意匠面に成形用金型の分割線を意図的に転写させてキャラクタラインを形成した状態を拡大して示した断面図である。
【符号の説明】
【００２１】
１：固定金型（意匠面を成形する型）、  １０：中央部成形入子、  １１：コーナ部成形入子、  ２：可動金型、  ３：保持手段、  ５：開き防止機構、  ５０：傾斜面、  ５１：コッタ、  ６：調整機構、  ６０：拡縮手段、  ６１：長さ調整可能な締結手段、  Ｐ：樹脂製バンパ（成形製品）、  Ｐ０：中央部、  Ｐ１：コーナ部、  ＰＤ：意匠面となる表面、  Ｌ：キャラクタライン
【図１】
2005041112.tif 000003
【図２】
2005041112.tif 000004
【図３】
2005041112.tif 000005
【図４】
2005041112.tif 000006
【図５】
2005041112.tif 000007
【図６】
2005041112.tif 000008
【図７】
2005041112.tif 000009
【図８】
2005041112.tif 000010